(57)【要約】【課題】直線的に操作子を人が操作することで入力信号に対する出力信号の前記レベルを調節するためのフェーダ装置であって、抵抗体と摺動子の摩耗を回避でき、長い期間にわたって安定した性能を維持することができるフェーダ装置を提供する。【解決手段】人に操作されることで所定の往復動範囲を直線移動可能な操作子３と、操作子の直線動作に連動して回転する回転部５と、回転部の回転角を検出する回転角センサ９と、検出された回転角に応じた電圧を出力する電圧出力部１１と、この電圧の大きさに応じた前記レベルで出力信号を出力する信号出力部１３と、を備える。【選択図】図１
2009284337.tif 000002
【特許請求の範囲】
【請求項１】
入力信号に対する出力信号のレベルを調節するためのフェーダ装置であって、
人に操作されることで所定の往復動範囲を直線移動可能な操作子と、
前記操作子の直線動作に連動して回転する回転部と、
前記回転部の回転角を検出する回転角センサと、
前記検出された回転角に応じた電圧を出力する電圧出力部と、
該電圧の大きさに応じた前記レベルで前記出力信号を出力する信号出力部と、を備える、ことを特徴とするフェーダ装置。
【請求項２】
前記操作子の直線動作を前記回転部の回転動作に変換する変換機構を備える、ことを特徴とする請求項１に記載のフェーダ装置。
【請求項３】
前記操作子が前記往復動範囲の一端に位置する時に、前記電圧出力部が出力する前記電圧が最低値となり、前記操作子が前記往復動範囲の他端に位置する時に、前記電圧出力部が出力する前記電圧が最大値となるように設定されており、
前記一端へ至る直前に位置する前記操作子を検知する第１センサと、
前記他端へ至る直前の位置に前記操作子が存在することを検知する第２センサと、
前記操作子を検知した旨の検知信号を第１センサから受けると、前記信号出力部に入力される前記電圧の大きさを強制的に前記最低値にし、前記操作子を検知した旨の検知信号を第２センサから受けると、前記信号出力部に入力される前記電圧の大きさを強制的に前記最大値にする電圧強制切換部と、を備える、ことを特徴とする請求項１または２に記載のフェーダ装置。  
【請求項４】
前記一端から前記他端まで前記操作子が移動することで、前記回転部は１回転するようになっている、ことを特徴とする請求項１〜３のいずれか一項に記載のフェーダ装置。
【発明の詳細な説明】
【技術分野】
【０００１】
本発明は、入力信号に対する出力信号の信号レベルを調節するためのフェーダ装置に関する。
【背景技術】
【０００２】
フェーダ装置は、手動で操作子を直線的に移動させることで、音量、光量等を変化させるものである。例えば、放送、レコーディングやディスクジョキー等において複数チャンネルのオリジナル音をミキシングする際の音量調整や、劇場などでの照明の光量調整を行うために、フェーダ装置が用いられている。フェーダ装置は、例えば下記特許文献１に記載されている。
【０００３】
従来において、フェーダ装置には、例えば次の２つの方式がある。いずれの方式も、抵抗体を使用している
（信号を直接入力する方式）
図９に示す方式では、抵抗体の両端に制御したい信号を入力し、摺動子を移動させることにより、入力信号に対する出力信号のレベルを変化させる。
（ＶＣＡデバイスを利用する方式）
図１０に示す方式では、抵抗体の両端に基準となる電圧をかけ、摺動子を移動することによって発生する電圧の変化を、ＶＣＡデバイスに渡すことで、入力信号に対する出力信号のレベルを変化させる。
【特許文献１】特開２００８−７６２１４
【発明の開示】
【発明が解決しようとする課題】
【０００４】
従来のフェーダ装置では、抵抗体に摺動子が接触しながら抵抗体の上を摺動子が移動することで、抵抗体の一端から摺動子の位置までの抵抗値を変化させるようになっている。そのため、摺動子が抵抗体と機械的に接触して摺動するので、摺動子と抵抗体との摩耗が避けられない。この摩耗が進むと、抵抗体と摺動子の接触抵抗が不安定となり、特に、摺動時において、フェーダ装置を通る信号（即ち、出力信号）にノイズが乗ってしまう問題点がある。
【０００５】
そこで、本発明の目的は、直線的に操作子を人が操作することで入力信号に対する出力信号のレベルを調節するためのフェーダ装置であって、抵抗体と摺動子の摩耗を回避でき、長い期間にわたって安定した性能を維持することができるフェーダ装置を提供することにある。
【課題を解決するための手段】
【０００６】
上記目的を達成するため、本発明によると、入力信号に対する出力信号のレベルを調節するためのフェーダ装置であって、
人に操作されることで所定の往復動範囲を直線移動可能な操作子と、
前記操作子の直線動作に連動して回転する回転部と、
前記操作子の直線動作を前記回転部の回転動作に変換する変換機構と、
前記回転部の回転角を検出する回転角センサと、
前記検出された回転角に応じた電圧を出力する電圧出力部と、
該電圧の大きさに応じた前記レベルで前記出力信号を出力する信号出力部と、を備える、ことを特徴とするフェーダ装置が提供される。また、フェーダ装置は、前記操作子の直線動作を前記回転部の回転動作に変換する変換機構を備えてよい。
【０００７】
上記構成では、前記操作子の直線動作に連動して回転する回転部と、前記操作子の直線動作を前記回転部の回転動作に変換する変換機構と、前記回転部の回転角を検出する回転角センサと、前記検出された回転角に応じた電圧を出力する電圧出力部と、該電圧の大きさに応じたレベルで前記出力信号を出力する信号出力部と、を備えるので、レベルを調節するためのフェーダの抵抗体が不要になる。従って、従来における抵抗体と摺動子との摩耗により、接触抵抗が不安定となり、その結果、出力信号も不安定になるという問題を回避できる。しかも、上記構成では、操作子を手動で直線移動させることでレベルを調整するという方式を今まで通りに採用できる。よって、今まで通りの方式を採用しつつ、長い期間にわたって安定した性能を維持することができる。
【０００８】
本発明の好ましい実施形態によると、上述のフェーダ装置は、前記操作子が前記往復動範囲の一端に位置する時に、前記電圧出力部が出力する前記電圧が最低値となり、前記操作子が前記往復動範囲の他端に位置する時に、前記電圧出力部が出力する前記電圧が最大値となるように設定されており、
上述のフェーダ装置は、前記一端へ至る直前に位置する前記操作子を検知する第１センサと、
前記他端へ至る直前の位置に前記操作子が存在することを検知する第２センサと、
前記操作子を検知した旨の検知信号を第１センサから受けると、前記信号出力部に入力される前記電圧の大きさを強制的に前記最低値にし、前記操作子を検知した旨の検知信号を第２センサから受けると、前記信号出力部に入力される前記電圧の大きさを強制的に前記最大値にする電圧強制切換部と、を備える。
【０００９】
このように、前記操作子が前記往復動範囲の一端に位置する時に、前記電圧出力部が出力する前記電圧が最低値となり、前記操作子が前記往復動範囲の他端に位置する時に、前記電圧出力部が出力する前記電圧が最大値となるように設定されている場合に、回転角センサの検出精度・検出誤差や他の機構的な誤差により、操作子が前記一端に位置している時に操作子が前記他端に位置していると誤検出されてしまう可能性がある。同様に、操作子が前記他端に位置している時に操作子が前記一端に位置していると誤検出されてしまう可能性がある。上記構成では、前記一端へ至る直前に位置する前記操作子を検知する第１センサと、前記他端へ至る直前の位置に前記操作子が存在することを検知する第２センサと、を備え、前記操作子を検知した旨の検知信号を第１センサから受けると、前記電圧の大きさを強制的に前記最低値にし、前記操作子を検知した旨の検知信号を第２センサから受けると、前記電圧の大きさを強制的に前記最大値にする電圧強制切換部と、を備えるので、上述の誤検出を回避できる。
【００１０】
本発明の好ましい実施形態によると、前記一端から前記他端まで前記操作子が移動することで、前記回転部は１回転するようになっている。
【００１１】
このように、前記一端から前記他端まで前記操作子が移動することで、前記回転部は１回転するようになっているので、回転角センサによる回転角検出精度をできるだけ高くすることができる。
【発明の効果】
【００１２】
上述した本発明によると、直線的に操作子を人が操作することで入力信号に対する出力信号のレベルを調節するためのフェーダ装置において、抵抗体と摺動子の摩耗を回避でき、長い期間にわたって安定した性能を維持することができる。
【発明を実施するための最良の形態】
【００１３】
本発明を実施するための最良の実施形態を図面に基づいて説明する。なお、各図において共通する部分には同一の符号を付し、重複した説明を省略する。
【００１４】
［第１実施形態］
図１は、本発明の第１実施形態によるフェーダ装置の構成図である。図１に示すフェーダ装置１０は、入力信号に対する出力信号のレベルを調節するためのフェーダ装置１０であって、操作子３、回転部５、変換機構７、回転角センサ９、電圧出力部１１および信号出力部１３を備える。図２は、回転角センサ９、電圧出力部１１および信号出力部１３を示すブロック図である。図２に示す構成は、後述のケーシング１７に取り付けられてよい。なお、上述の入力信号に対する出力信号のレベルは、入力信号に対する出力信号の減衰量、増幅量、減衰率または増幅率であってよい。
【００１５】
操作子３は、人に操作されることで所定の往復動範囲を直線移動可能となっている。図１の例では、操作子３には、ガイドバー１５が貫通しており、操作子３は、前記往復動範囲の一端（即ち、第１移動限界位置）と他端（即ち、第２移動限界位置）との間を、ガイドバー１５に沿って直線的に往復動可能となっている。なお、ガイドバー１５の両端は、フェーダ装置１０のケーシング１７に固定されている。
【００１６】
回転部５は、前記操作子３の直線動作に連動して回転する。図１の例では、回転部５は、ケーシング１７に回転可能に取り付けられている。図１の例では、回転部５は、プーリである。
【００１７】
変換機構７は、操作子３の直線動作を前記回転部５の回転動作に変換する。図１の例では、変換機構７は、プーリ５に掛けられるタイミングベルトである。このタイミングベルト７の所定の取付箇所が操作子３に固定されていることで、操作子３が直線移動することで、タイミングベルト７の取付箇所と操作子３が一体的に移動し、この移動と連動してプーリ５が回転するようになっている。好ましくは、操作子３が、前記往復動範囲の一端から他端まで移動することで、回転部５はちょうど１回転するようになっている。
【００１８】
回転角センサ９は、前記回転部５の回転角を検出する。図３は、図１の回転部５の部分拡大図である。図３の例では、回転角センサ９は、回転部５に取り付けられた永久磁石であるＳ極部とＮ極部からの磁力線の変化を検出し、当該変化に基づいて回転部５の回転角を示す信号（例えば、電圧）を出力する。
【００１９】
電圧出力部１１は、回転角センサ９により検出された回転角に応じた電圧を出力する。この出力電圧は、操作子３が前記往復動範囲の一端から他端まで移動するに従って、徐々に増加するようになっている。図４は、電圧出力部１１の電圧出力特性を示す。図４において、横軸は操作子３の位置を示し、縦軸は電圧出力部１１の出力電圧を示す。図４の横軸において、好ましくは、０［ｍｍ］の位置は前記往復動範囲の一端に相当するとともに回転部５の回転角０度に相当し、１００［ｍｍ］の位置は前記往復動範囲の他端に相当するとともに回転部５の回転角３６０度に相当する。図４の例では、出力電圧は、操作子３の位置に関して線形的な特性を有する。
【００２０】
上述した本発明の第１実施形態によると、前記操作子３の直線動作に連動して回転する回転部５と、前記操作子３の直線動作を前記回転部５の回転動作に変換する変換機構７と、前記回転部５の回転角を検出する回転角センサ９と、前記検出された回転角に応じた電圧を出力する電圧出力部１１と、該電圧の大きさに応じた（例えば、該電圧の大きさに比例する）前記レベルで前記出力信号を出力する信号出力部１３と、を備えるので、前記レベルを調節するためのフェーダの抵抗体が不要になる。従って、従来における抵抗体と摺動子との摩耗により、接触抵抗が不安定となり、その結果、出力信号も不安定になるという問題を回避できる。しかも、上記構成では、操作子３を手動で直線移動させることで前記レベルを調整するという方式を今まで通りに採用できる。よって、今まで通りの方式を採用しつつ、長い期間にわたって安定した性能を維持することができる。
また、前記一端から前記他端まで前記操作子３が移動することで、前記回転部５は１回転するようになっているので、回転角センサ９による回転角検出精度をできるだけ高くすることができる。
【００２１】
［第２実施形態］
次に、本発明の第２実施形態によるフェーダ装置１０について説明する。以下で述べる点以外の第２実施形態の構成および動作は、第１実施形態と同じであってよい。
【００２２】
第１実施形態において、前記操作子３が前記往復動範囲の一端に位置する時に、前記電圧出力部１１が出力する前記電圧が最低値となり、前記操作子３が前記往復動範囲の他端に位置する時に、前記電圧出力部１１が出力する前記電圧が最大値となるように設定されている場合には、回転角センサ９の検出精度・検出誤差や他の機構的な誤差により、操作子３が前記一端に位置している時に操作子３が前記他端に位置していると誤検出されてしまう可能性がある。即ち、理想的な状態では、図４において操作子３が０［ｍｍ］の位置にある場合、電圧出力部１１の出力電圧は０［Ｖ］となるが、前記誤差等により、０［Ｖ］より少し大きい電圧が出力されたり、逆に最大値の電圧が出力されてしまう可能性がある。同様に、操作子３が前記他端に位置している時に操作子３が前記一端に位置していると誤検出されてしまう可能性がある。即ち、理想的な状態では、図４において操作子３が１００［ｍｍ］の位置にある場合、電圧出力部１１の出力電圧は最大値となるが、前記誤差等により、最大値より少し小さい電圧が出力されたり、逆に０［Ｖ］の電圧が出力されてしまう可能性がある。そこで、第２実施形態では、以下の構成を採用する。
【００２３】
第２実施形態の前提となる構成は、上述のように、前記操作子３が前記往復動範囲の一端に位置する時に、前記電圧出力部１１が出力する前記電圧が最低値となり、前記操作子３が前記往復動範囲の他端に位置する時に、前記電圧出力部１１が出力する前記電圧が最大値となるように設定されている。
【００２４】
図５は、第２実施形態によるフェーダ装置１０の構成図である。なお、図５では、プーリ５、タイミングベルト７、回転角センサ９の図示を省略している。図５（Ｂ）は、図５（Ａ）のＢ−Ｂ線矢視図であり操作子３と後述のセンサのみを示している。また、図６は、第２実施形態による回転角センサ９、電圧出力部１１、信号出力部１３および後述する第１センサ１９、第２センサ２１、電圧強制切換部２３を示すブロック図である。図６に示す構成は、ケーシング１７に取り付けられてよい。
【００２５】
第２実施形態では、フェーダ装置１０は、前記一端へ至る直前（以下、第１検出位置と言う）に位置する前記操作子３を検知する第１センサ１９と、前記他端へ至る直前（以下、第２検出位置と言う）の位置に前記操作子３が存在することを検知する第２センサ２１と、を備える。第１センサ１９と第２センサ２１の各々は、対向する発光部と受光部を持ち、第１検出位置または第２検出位置に位置する操作子３の遮蔽部３ａが発光部からの光を遮るのを受光部で検出することによって、操作子３が第１検出位置または第２検出位置に位置することを検知する。なお、第１センサ１９は、第１検出位置と第１移動限界位置との間に操作子３が位置している間、操作子３を検知し続け、第２センサ２１も、第２検出位置と第２移動限界位置との間に操作子３が位置している間、操作子３を検知し続ける。なお、第１センサ１９と第２センサ２１はケーシング１７に取り付けられる。
【００２６】
フェーダ装置１０は、電圧強制切換部２３をさらに備える。電圧強制切換部２３は、前記操作子３を検知した旨の検知信号を第１センサ１９から受けると、前記信号出力部１３に入力される前記電圧の大きさを強制的に前記最低値にし、前記操作子３を検知した旨の検知信号を第２センサ２１から受けると、前記信号出力部１３に入力される前記電圧の大きさを強制的に前記最大値Ｖｍａｘにする。例えば、電圧強制切換部２３は、図７の出力特性を有するマルチプレクサであってよい。従って、第２実施形態では、電圧出力部１１の出力電圧特性は図８に示すものとなる。図８において、０［ｍｍ］付近と１００［ｍｍ］付近で、出力電圧の線形性が失われているが、放送用ミキシングコンソール等では、図８の特性でも問題とならない。このように、第１検出位置を第１移動限界位置付近（好ましくは、第１移動限界位置の直前）にし、第２検出位置を第２移動限界位置付近（好ましくは、第２移動限界位置の直前）にすることで、第１検出位置または第２検出位置に操作子３が位置することを検知して、出力電圧を最低値または最大値に強制的にすることができる。
【００２７】
上述した本発明の第２実施形態によるフェーダ装置１０では、前記一端へ至る直前に位置する前記操作子３を検知する第１センサ１９と、前記他端へ至る直前の位置に前記操作子３が存在することを検知する第２センサ２１と、前記電圧出力部１１は、前記操作子３を検知した旨の検知信号を第１センサ１９から受けると、前記信号出力部１３に入力される前記電圧の大きさを強制的に前記最低値にし、前記操作子３を検知した旨の検知信号を第２センサ２１から受けると、前記信号出力部１３に入力される前記電圧の大きさを強制的に前記最大値Ｖｍａｘにする電圧強制切換部２３をさらに備えるので、上述の誤検出を回避できる。
【００２８】
本発明は上述した実施の形態に限定されず、本発明の要旨を逸脱しない範囲で種々変更を加え得ることは勿論である。
【００２９】
例えば、第１センサ１９と第２センサ２１は、フォトインタラプタであったが、本発明は、これに限定されない。即ち、第１センサ１９は、操作子３が第１検出位置と第１移動限界位置との間に位置する時に操作子３を検知できる他の適切なものであってよく、第２センサ２１は、操作子３が第２検出位置と第２移動限界位置との間に位置する時に操作子３を検知できる他の適切なものであってもよい。
また、変換機構７は、上述のものに限定されず、操作子３の直線動作を回転部５の回転動作に変換する他の適切な機構であってもよい。
回転角センサ９は、上述のものに限定されず、回転部５の回転角を検出できる他の適切なものであってもよい。
【００３０】
本発明によると、上述の第１実施形態、第２実施形態または他の適切な実施形態において、前記一端から前記他端まで前記操作子３が移動することで、前記回転部５は１回転するようになっていてもよいし、または、前記一端から前記他端まで前記操作子３が移動することで、前記回転部５は１回転以下の回転をするようになっていてもよい。
【図面の簡単な説明】
【００３１】
【図１】本発明の第１実施形態によるフェーダ装置の構成図である。
【図２】図１のフェーダ装置に設けられる構成のブロック図である。
【図３】回転角センサの一例を示す図である。
【図４】図１のフェーダ装置の電圧出力部の特性を示すグラフである。
【図５】本発明の第２実施形態によるフェーダ装置の構成図である。
【図６】図５のフェーダ装置に設けられる構成のブロック図である。
【図７】図５のフェーダ装置の電圧強制切換部の切換特性を示す図である。
【図８】電圧強制切換部を設けた場合の出力電圧を示すグラフである。
【図９】信号を直接入力する方式のフェーダ装置を示す。
【図１０】ＶＣＡデバイスを利用する方式のフェーダ装置を示す。
【符号の説明】
【００３２】
３  操作子、  ３ａ  遮蔽部、５  回転部（プーリ）、７  変換機構（タイミングベルト）、９  回転角センサ、１０  フェーダ装置、１１  電圧出力部、１３  信号出力部、１５  ガイドバー、１７  ケーシング、１９  第１センサ、２１  第２センサ、２３  電圧強制切換部、
【図１】
2009284337.tif 000003
【図２】
2009284337.tif 000004
【図３】
2009284337.tif 000005
【図４】
2009284337.tif 000006
【図５】
2009284337.tif 000007
【図６】
2009284337.tif 000008
【図７】
2009284337.tif 000009
【図８】
2009284337.tif 000010
【図９】
2009284337.tif 000011
【図１０】
2009284337.tif 000012